(57)【要約】      （修正有）【課題】美観を損なわず、使用し易いジョイントマットを提供する。【解決手段】略矩形であり、４辺に連結部１４を備える第１のジョイントマット１００であって、連結部１４は、複数の凸部１０と、凸部１０の間に凸部１０を嵌入しうる形状である凹部１２と、を有し、略矩形であり、３辺に連結部１４を備え、残りの１辺に連結部１４を備えない第２のジョイントマット及び略矩形であり、隣り合う２辺に連結部１４を備え、残りの２辺に連結部１４を備えない第３のジョイントマットと連結可能とする。【選択図】図１
0003208175.tif 000002
【実用新案登録請求の範囲】
【請求項１】
略矩形であり、４辺に連結部を備えるマットであって、
前記連結部は、複数の凸部と、前記凸部の間に前記凸部を嵌入しうる形状である凹部と、を有し、
略矩形であり、３辺に前記連結部を備え、残りの１辺に前記連結部を備えないマット及び略矩形であり、隣り合う２辺に前記連結部を備え、残りの２辺に前記連結部を備えないマットと連結可能であることを特徴とするジョイントマット。
【請求項２】
略矩形であり、３辺に連結部を備え、残りの１辺に前記連結部を備えないマットであって、
前記連結部は、複数の凸部と、前記凸部の間に前記凸部を嵌入しうる形状である凹部と、を有し、
略矩形であり、４辺に前記連結部を備えるマット及び略矩形であり、隣り合う２辺に前記連結部を備え、残りの２辺に前記連結部を備えないマットと連結可能であることを特徴とするジョイントマット。
【請求項３】
略矩形であり、隣り合う２辺に連結部を備え、残りの２辺に前記連結部を備えないマットであって、
前記連結部は、複数の凸部と、前記凸部の間に前記凸部を嵌入しうる形状である凹部と、を有し、
略矩形であり、４辺に前記連結部を備えるマット及び略矩形であり、３辺に前記連結部を備え、残りの１辺に前記連結部を備えないマットと連結可能であることを特徴とするジョイントマット。
【考案の詳細な説明】
【技術分野】
【０００１】
本考案は、複数のマットを連結して床などに敷設するジョイントマットに関する。
【背景技術】
【０００２】
従来、部屋や廊下やホールなどの床面にマットを敷く場合、周縁に凹凸の連結部を有するマットを組み合わせるジョイントマットが知られている。
【考案の概要】
【考案が解決しようとする課題】
【０００３】
ところで、ジョイントマットを多数連結して形成されたマットの周端縁には、各マットの周辺に設けられた凹部と凸部が交互に露呈し、美観を損なうと共に、塵等が溜まりやすくなる等の問題がある。さらに、凹部と凸部が露出していることによって、使用者が足先を引っ掛けるおそれがあった。
【課題を解決するための手段】
【０００４】
本考案の１つの態様は、略矩形であり、４辺に連結部を備えるマットであって、前記連結部は、複数の凸部と、前記凸部の間に前記凸部を嵌入しうる形状である凹部と、を有し、略矩形であり、３辺に前記連結部を備え、残りの１辺に前記連結部を備えないマット及び略矩形であり、隣り合う２辺に前記連結部を備え、残りの２辺に前記連結部を備えないマットと連結可能であることを特徴とするジョイントマットである。
【０００５】
また、本考案の他の態様は、略矩形であり、３辺に連結部を備え、残りの１辺に前記連結部を備えないマットであって、前記連結部は、複数の凸部と、前記凸部の間に前記凸部を嵌入しうる形状である凹部と、を有し、略矩形であり、４辺に前記連結部を備えるマット及び略矩形であり、隣り合う２辺に前記連結部を備え、残りの２辺に前記連結部を備えないマットと連結可能であることを特徴とするジョイントマットである。
【０００６】
また、本考案の別の態様は、略矩形であり、隣り合う２辺に連結部を備え、残りの２辺に前記連結部を備えないマットであって、前記連結部は、複数の凸部と、前記凸部の間に前記凸部を嵌入しうる形状である凹部と、を有し、略矩形であり、４辺に前記連結部を備えるマット及び略矩形であり、３辺に前記連結部を備え、残りの１辺に前記連結部を備えないマットと連結可能であることを特徴とするジョイントマットである。
【考案の効果】
【０００７】
本考案によれば、美観を損なわず、使用し易いジョイントマットを提供することができる。
【図面の簡単な説明】
【０００８】
【図１】本考案の実施の形態における第１のジョイントマットの構成を示す平面図である。
【図２】本考案の実施の形態におけるジョイントマットの凸部及び凹部の構成を示す拡大図である。
【図３】本考案の実施の形態における第２のジョイントマットの構成を示す平面図である。
【図４】本考案の実施の形態における第３のジョイントマットの構成を示す平面図である。
【図５】本考案の実施の形態におけるジョイントマットの使用例を示す図である。
【考案を実施するための形態】
【０００９】
本発明の実施の形態における第１のジョイントマット１００は、図１に示すように、略矩形の形状の４つの周縁に複数の凸部１０と凹部１２とを交互に設けた構成を有する。すなわち、第１のジョイントマット１００では、隣り合う凸部１０の間に挟まれるように凹部１２が形成されている。凸部１０及び凹部１２は、矩形状のマットの隣接する２辺に頂点を挟んで形成され、凸部１０と頂点を挟んでその隣に位置する凸部１０との間に凹部１２が形成されている。
【００１０】
図２の一部拡大図に示すように、本実施の形態では、凸部１０は周縁部２０によって第１のジョイントマット１００の周縁の外側に向かって幅広の形状とされる。したがって、凸部１０とその隣に位置する凸部１０との間に形成される凹部１２は、第１のジョイントマット１００の周縁の内側に向かって幅広の形状とされる。ただし、凸部１０及び凹部１２の形状はこれに限定されるものではなく、凸部１０がそれぞれ凹部１２に嵌合しうる形状とされていればよい。例えば、周縁部２０を第１のジョイントマット１００の周縁に対して垂直な直線とし、凸部１０と凹部１２とを矩形状に形成してもよい。これらの凸部１０と凹部１２とによって、図１に示すように、第１のジョイントマット１００の４辺の連結部１４が構成される。
【００１１】
第１のジョイントマット１００は、ＥＶＡ等の樹脂、木材、金属等の材料により構成することができる。また、第１のジョイントマット１００は、これらの材料の複合材としてもよい。ただし、第１のジョイントマット１００の材料はこれらに限定されるものではない。
【００１２】
また、第１のジョイントマット１００の厚さは、例えば、５ｍｍ〜２０ｍｍとすることが好適である。ただし、第１のジョイントマット１００の厚さは、この範囲に限定されるものではない。
【００１３】
本発明の実施の形態における第２のジョイントマット１０２は、図３に示すように、略矩形の形状の３つの周縁に複数の凸部１０と凹部１２とを交互に並べた連結部１４が設けられ、残りの１つの周縁には連結部１４が設けられていない構成とされる。ここで、第２のジョイントマット１０２における、凸部１０と凹部１２は第１のジョイントマット１００と同様に構成すればよい。また、連結部１４が設けられていない１辺は、例えば、第１のジョイントマット１００の凸部１０の内辺をそれぞれ延長した直線１６とすることが好適である（図３中では、参考のために、第２のジョイントマット１０２の直線１６を設けた辺に対応する第１のジョイントマット１００の連結部１４を破線で示している）。
【００１４】
本発明の実施の形態における第３のジョイントマット１０４は、図４に示すように、略矩形の形状の隣り合う２つの周縁に複数の凸部１０と凹部１２とを交互に並べた連結部１４が設けられ、残りの隣り合う２つの周縁には連結部１４が設けられていない構成とされる。ここで、第３のジョイントマット１０４における、凸部１０と凹部１２は第１のジョイントマット１００と同様に構成すればよい。また、連結部１４が設けられていない２辺は、例えば、第１のジョイントマット１００の凸部１０の内辺をそれぞれ延長した直線１６とすることが好適である（図４中では、参考のために、第３のジョイントマット１０４の直線１６を設けた辺に対応する第１のジョイントマット１００の連結部１４を破線で示している）。
【００１５】
図５は、第１のジョイントマット１００、第２のジョイントマット１０２、第３のジョイントマット１０４を組み合わせて敷いた例を示す図である。図５に示すように、第１のジョイントマット１００、第２のジョイントマット１０２、第３のジョイントマット１０４を組み合わせることによって、全体として外縁が直線状のマットとして利用することができる。すなわち、美観を損なわず、使用し易いジョイントマットを提供することができる。
【符号の説明】
【００１６】
１０  凸部、１２  凹部、１４  連結部、１６  直線、２０  周縁部、１００，１０２，１０４  ジョイントマット。
【図１】
0003208175.tif 000003
【図２】
0003208175.tif 000004
【図３】
0003208175.tif 000005
【図４】
0003208175.tif 000006
【図５】
0003208175.tif 000007